(57)【要約】太陽電池アセンブリ及び太陽電池モジュールを提供する。この太陽電池アセンブリは太陽電池パネル及び取付部材を含む。取付部材が支持部分及び接続部分を有し、支持部分が太陽電池パネルを固定する構成であり、接続部分が取付部材を支持梁上に固定する構成である。支持部分が太陽電池パネルの裏側に配置され、接続部分が支持部分の一縁部から太陽電池パネルに平行な方向に沿って延びる。接続部分が太陽電池パネルのカバー領域の外側に位置し、接続部分には取付孔が作成されている。
2019503159.tif 000002
【特許請求の範囲】
【請求項１】
太陽電池パネルと、
支持部分及び接続部分を有する取付部材であって、前記支持部分が前記太陽電池パネルを固定する構成であり、前記接続部分が前記取付部材を支持梁上に固定する構成である、取付部材と、
を備える太陽電池アセンブリにおいて、
前記支持部分が前記太陽電池パネルの裏側に配置され、前記接続部分が前記支持部分の一縁部から前記太陽電池パネルに平行な方向に沿って延び、前記接続部分が前記太陽電池パネルのカバー領域の外側に位置し、前記接続部分には取付孔が形成されている、
太陽電池アセンブリ。
【請求項２】
複数の取付部材が前記太陽電池パネルの両側にそれぞれ配置されている、請求項１に記載の太陽電池アセンブリ。
【請求項３】
前記支持部分がプラットフォーム面を有し、前記太陽電池パネルの裏側と結合する構成である接着層が、前記プラットフォーム面上に配置される、請求項１に記載の太陽電池アセンブリ。
【請求項４】
前記支持部分が、穴が中に形成された中空方形管として構成され、前記中空方形管の上面は前記プラットフォーム面として構成される、請求項３に記載の太陽電池アセンブリ。
【請求項５】
前記接続部分が平板として構成される、請求項１に記載の太陽電池アセンブリ。
【請求項６】
前記接続部分の下面が前記支持部分の下面と同一面上にある、請求項４又は５に記載の太陽電池アセンブリ。
【請求項７】
前記接続部分の下面のある第１平面が、前記支持部分の下面のある第２平面より高く位置し、前記第１平面と前記第２平面との間の距離が前記接続部分の厚さに等しい、請求項４又は５に記載の太陽電池アセンブリ。
【請求項８】
前記取付部材が、前記支持部分と前記接続部分との間に配置された制限部分をさらに備え、前記太陽電池パネルの１側部が前記制限部分と当接する、請求項１に記載の太陽電池アセンブリ。
【請求項９】
前記制限部分の支持部分から離れる側の一端には、折曲部分が形成されており、前記折曲部分が前記太陽電池パネルに対向し、前記折曲部分が前記支持部分の上面と平行である、請求項８に記載の太陽電池アセンブリ。
【請求項１０】
前記取付孔が腰形状孔として構成される、請求項１に記載の太陽電池アセンブリ。
【請求項１１】
支持梁及び請求項１〜１０のいずれか１項に記載の太陽電池アセンブリを備える太陽電池モジュールであって、前記支持梁が前記太陽電池アセンブリの裏側に位置し、前記太陽電池アセンブリが前記取付部材を介して前記支持梁に固定される、太陽電池モジュール。
【請求項１２】
前記支持梁上に並んで配置される複数の太陽電池アセンブリがあり、前記複数の太陽電池アセンブリが、第１太陽電池アセンブリ及び前記第１太陽電池アセンブリに隣接する第２太陽電池アセンブリを備え、前記第１太陽電池アセンブリが第１取付部材を備え、前記第２太陽電池アセンブリが第２取付部材を含み、
前記第１取付部材が第１支持部分及び第１接続部分を含み、前記第１接続部分には第１取付孔が形成されており、前記第１接続部分の下面が前記第１支持部分の下面と同一面上にあり、
前記第２取付部材が第２支持部分及び第２接続部分を含み、前記第２接続部分には第２取付孔が形成されており、前記第２接続部分の下面のある第１平面が、前記第２支持部分の下面のある第２平面より高く位置し、前記第１平面と前記第２平面との間の距離は、前記第１接続部分の厚さに等しく、
前記第１接続部分が前記第２接続部分の底部に位置して前記第２接続部分と重なり合い、前記第１取付孔と前記第２取付孔とが重なり合い、ボルトが前記第２取付孔と前記第１取付孔とを順次貫通して前記支持梁に接続される、
請求項１１に記載の太陽電池モジュール。
【発明の詳細な説明】
【技術分野】
【０００１】
本開示は概して太陽電池の分野に関し、特に太陽電池アセンブリ及び太陽電池モジュールに関する。
【背景技術】
【０００２】
図１に示されているように、従来の太陽電池パネルは主に、アルミニウム製の挟持アセンブリを介して取付けられ、挟持アセンブリは主に上側挟持部１及び下側挟持部２を含み、上側挟持部１及び下側挟持部２の双方はゴムパッド３を取付けるための溝を有し、上側挟持部１及び下側挟持部２の双方はボルトを介して互いに接続され、さらに、太陽電池パネルはゴムパッド３を介して、挟持アセンブリによって両側を挟持される。この挟持アセンブリを、取付金具上に固定することもできる。しかしながら、この種の挟持アセンブリにはいくつかの欠点がある。１つとして、ゴムパッドが紫外線、水蒸気、腐食ガスの下で劣化することがあり、それによって太陽電池パネルに加わる締付力が弱くなり、太陽電池パネルが脱落することがある。もう１つ、この種の挟持アセンブリは、空気圧及び雪圧に対する抵抗が小さいことがある。さらに、二重ガラス太陽電池アセンブリは、ゴムパッドとガラス表面との間の摩擦力で固定され、このゴムパッドと二重ガラス太陽電池アセンブリとの間の摩擦力は、摩擦係数及びボルトを介して加わる力によって決定される。比較的強い圧力が太陽電池アセンブリに加わると、太陽電池アセンブリが変形して挟持アセンブリから次第に滑り抜けることがあり、こうなると、挟持アセンブリに対する力のモーメントが徐々に上がるため、挟持アセンブリが変形して破損することがある。
【０００３】
さらに、固定アセンブリを太陽電池アセンブリの後ろ側に配置するとき、取付け位置が太陽電池パネルの裏側に来るので、特に太陽電池パネルが地面の近くにあるときは、固定アセンブリ及び支持梁について比較的高い位置精度が要求され、ボルトを太陽電池パネルの後ろ側に締め込むことができず、太陽電池パネルの取付けに影響を及ぼすことがある。
【発明の概要】
【発明が解決しようとする課題】
【０００４】
本開示は、関連技術の技術的課題を少なくとも１つある程度解決しようとするものである。この目的のために、本開示は太陽電池アセンブリ及び太陽電池モジュールを提供し、取付部材が太陽電池パネル上に配置され、この取付部材は主に太陽電池パネル及び支持梁を締結して固定する構成である。これにより、太陽電池パネルの取付安全性及び積載能力を高め、かつ、取付精度の要求を低下させることができ、種々の支持梁の取付けに適し得る。
【０００５】
本開示の第１の態様では、太陽電池アセンブリが提供される。この太陽電池アセンブリは、太陽電池パネルと取付部材とを含む。この取付部材は、太陽電池パネルを固定する構成である支持部分、及び取付部材を支持梁上に固定する構成である接続部分を有する。この支持部分は太陽電池パネルの裏側に配置され、接続部分は支持部分の一縁部から太陽電池パネルに平行な方向に沿って延び、かつ、太陽電池パネルのカバー領域の外側に位置しており、接続部分の中には取付孔が形成されている。
【０００６】
実施形態によっては、複数の取付部材が、太陽電池パネルの両側にそれぞれ配置される。
【０００７】
実施形態によっては、支持部分上にプラットフォーム面が形成され、太陽電池パネルの裏側と接合する構成である接着層が、そのプラットフォーム面上に配置される。
【０００８】
実施形態によっては、支持部分が、穴が形成された中空方形管として構成され、中空方形管の上面はプラットフォーム面として構成される。
【０００９】
実施形態によっては、接続部分が平板として構成される。
【００１０】
実施形態によっては、接続部分の下面が支持部分の下面と同一面上にある。
【００１１】
実施形態によっては、接続部分の下面のある第１平面が、支持部分の下面のある第２平面より高く位置し、第１平面と第２平面との間の距離は、接続部分の厚さに等しい。
【００１２】
実施形態によっては、取付部材が、支持部分と接続部分の間に配置された制限部分をさらに有し、太陽電池パネルの１側部が制限部分と当接する。
【００１３】
実施形態によっては、制限部分の支持部分から離れる側の一端には、折曲部分が形成されており、折曲部分は太陽電池パネルに対向しており、折曲部分の上面が支持部分の上面と平行である。
【００１４】
実施形態によっては、取付孔が腰形状の孔として構成される。
【００１５】
本開示の第２の実施態様では、太陽電池モジュールが提供される。この太陽電池モジュールは、支持梁及び上述の太陽電池アセンブリを含み、支持梁は太陽電池アセンブリの裏側に位置し、太陽電池アセンブリは取付部材を介して支持梁に固定されている。
【００１６】
実施形態によっては、複数の太陽電池アセンブリが支持梁上に並んで配置され、この複数の太陽電池アセンブリは、第１太陽電池アセンブリ及び第１太陽電池アセンブリに隣接する第２太陽電池アセンブリを備え、第１太陽電池アセンブリが第１取付部材を含み、第２太陽電池アセンブリが第２取付部材を含み、第１取付部材が第１支持部分及び第１接続部分を含み、第１接続部分には第１取付孔が形成され、第１接続部分の下面が第１支持部分の下面と同一面上にあり、第２取付部材が第２支持部分及び第２接続部分を含み、第２接続部分には第２取付孔が形成され、第２接続部分の下面のある第１平面が、第２支持部分の下面のある第２平面より高く位置し、第１平面と第２平面の間の距離は、第１接続部分の厚さに等しく、第１接続部分が第２接続部分の底部に位置して第２接続部分と重なり合い、第１取付孔と第２取付孔とが重なり合い、ボルトが第２取付孔と第１取付孔を順次貫通して支持梁に接続されている。
【００１７】
本開示の太陽電池アセンブリでは、隣接する太陽電池パネル間の接続及び太陽電池パネルと支持梁との接続を実現するために、取付部材が太陽電池パネル上に配置される。この取付部材は支持部分、制限部分及び接続部分を含んでもよく、従来の側部を挟持する取付けに対して、支持力を提供するために支持部分が太陽電池パネルの裏側に接続される。支持部分は、接着により太陽電池パネルに接続される。接着域が十分に大きければ、太陽電池パネルが耐え得る機械的負荷は、側部挟持による太陽電池パネルの取付けよりも大幅に高くなる。接続部分は、太陽電池パネルから離れる方向に沿って支持部分上に配置され、この結果、ボルトを太陽電池パネルの前側から締結できる。これにより、太陽電池パネルの素早い取付けと、太陽電池パネル５の地面近くの支持梁への取付けが可能となる。
【図面の簡単な説明】
【００１８】
上記及び他の態様並びに本開示の実施形態の利点が、添付図面の参照を伴う以下の記載から明白となり、より容易に理解できるようになるであろう。
【００１９】
【図１】従来技術の太陽電池パネル取付挟持具を示す概略図である。
【図２】本開示の一実施態様による太陽電池アセンブリを示す概略図である。
【図３】本開示の一実施態様による取付部材を示す概略図である。
【図４】本開示の一実施態様による取付部材を示す上面図である。
【図５】本開示の別の実施態様による取付部材を示す概略図である。
【図６】本開示の一実施態様による取付構造を示す概略図である。
【図７】本開示の一実施態様による取付部材と支持梁の間の接続部分を示す断面図である。
【図８】本開示の一実施態様による太陽電池モジュールを示す概略図である。
【発明を実施するための形態】
【００２０】
本開示の実施形態を以下に詳しく記載し、実施形態の実施例を添付図面に示す。添付図面を参照して記載する以下の実施形態は、例示であり、本開示の説明を目的とするものであって、本開示を限定するものとして解釈してはならない。
【００２１】
尚、本明細書において、「長さ」、「幅」、「厚さ」、「上」、「下」、「前」、「後」、「左」、「右」、「底」、「内側」、「外側」という用語は、記載された方向又は議論されている図面中で示された方向に言及していると解釈すべきである。これらの相対用語は記載の便宜上のものであり、本開示が特定の方向で組み立て又は操作されるものと解釈することを要求するものではない。さらに、本明細書において、「複数」という用語は、特に記載がない限り２以上を意味する。
【００２２】
尚、本明細書において、特に指定又は限定されていない限り、「取付けられた」、「接続された」、「固定された」等の用語は広義に使用され、例えば、固定接続、着脱可能な接続、又は一体的接続であっても、機械的接続又は電気的接続であっても、直接接続又は介在構造を介した間接接続であっても、２つの要素の内部連通であってもよい。これは、当業者であれば具体的状況に応じて理解できるはずである。
【００２３】
図２及び図３に示されているように、本開示は太陽電池アセンブリを提供する。この太陽電池アセンブリは太陽電池パネル５及び取付部材４を含み、取付部材４は、太陽電池パネル５を固定する構成である支持部分４１、及び取付部材４を支持梁上に固定する構成である接続部分４３を有する。
【００２４】
支持部分４１が太陽電池パネル５の裏側に配置され、接続部分４３が支持部分４１の一縁部から太陽電池パネル５に平行な方向に沿って延びる。例えば、実施形態によっては、接続部分４３と支持部分４１が一体的に形成され、接続部分４３が支持部分４１の一側縁に配置される。接続部分４３は太陽電池パネル５のカバー領域の外側に位置する。尚、太陽電池パネル５のカバー領域とは、太陽電池パネルの前側（すなわち受光面）から見たとき、太陽電池パネル５が覆う領域を言う。すなわち、接続部分４３は太陽電池パネル５の一側縁の外側に位置する。別々の取付部材４を、接続部分４３を介して互いに接続することもできる。接続部分４３はその中に取付孔４３１を形成されている。ボルトを太陽電池パネル５の前側からネジ止めすることができる。これにより、太陽電池パネル５の迅速な取付けと、太陽電池パネル５の地面近くの支持梁への取付けが可能となる。
【００２５】
実施形態によっては、複数の取付部材４を太陽電池パネル５の両側にそれぞれ配置してもよい。その結果、太陽電池パネル５を安定して固定することができる。
【００２６】
図３及び図４に示されているように、太陽電池パネル５と支持梁を取付けて固定するために、取付部材４を太陽電池パネル５上に配置し得る。
【００２７】
支持部分４１上にプラットフォーム面が形成され、太陽電池パネル５の裏側と接合する構成である接着層（不図示）が、プラットフォーム面４１３上に配置される。支持力を提供するために、支持部分４１のプラットフォーム面４１３が、太陽電池パネル５の裏側に接続される。支持部分４１が、接着により太陽電池パネル５に接続される。接着域が十分に大きければ、太陽電池パネルが耐え得る機械的負荷は、挟持よる太陽電池パネルの取付けよりも大幅に高くなる。実際の実験では、本開示の取付部材を介して取付けられた太陽電池パネル５は、５４００Ｐａを超える機械的負荷に耐えることができた。
【００２８】
具体的には、支持部分４１が、穴４１１が形成された中空方形管として構成される。尚、中空方形管の内部空間を複数の穴４１１に分割するために、隔壁４１２を中空方形管内に配置することができる。中空方形管の上面がプラットフォーム面４１３として構成され、中空方形管の、プラットフォーム面４１３から離れる方向の表面が、中空方形管の下面である。尚、支持部分４１の長さ、幅、及び厚さは、太陽電池パネル５の大きさ及び重さに応じて設計可能であり、同様に、太陽電池パネル５の荷重に応じて複数の穴４１１を設計することができる。
【００２９】
尚、取付部材４は、これに限定するものではないが、アルミニウム合金製、炭素鋼製又はステインレス鋼製である。
【００３０】
接続部分４３は、支持部分４１の一側部の外側に延びる平板として構成される。実施形態によっては、接続部分４３の角部が円形のビード又は４５度の面取りとして製造され、その結果、太陽電池パネルが圧縮されて変形したとき、接続部分４３の角部に加わる力を低減することができるようになっている。
【００３１】
取付部材４は、支持部分４１と接続部分４３の間に配置された制限部分４２をさらに有し、例として、制限部分４２は、支持部分４１と接続部分４３との間の接合部に配設される縞突起として構成されている。太陽電池パネル５の位置を定めるために、太陽電池パネル５の１側部が制限部分４２と当接しているため、太陽電池パネル５が支持部分４１に接着される際、太陽電池パネル５の歪みを防止することができる。
【００３２】
図５に示されているように、実施形態によっては、支持部分４１から遠い方の、制限部分４２の一端には、折曲部分４２１が形成され、折曲部分４２１は太陽電池パネル５に対向しており、折曲部分４２１は支持部分４１の上面と平行である。すなわち、支持部分４１の上方で横方向の制限を形成するために、折曲部分４２１はプラットフォーム面４１３と平行である。折曲部分４２１を通して太陽電池パネルに逆方向制限が設定されるため、取付部材４の逆荷重に対する耐性力が向上し得る。
【００３３】
尚、取付部材４の支持部分４１上に太陽電池パネル５を固定するために、接着層が、取付部材４と太陽電池パネル５との間に配置されている。尚、この接着層は、単一成分シリカゲル、二成分シリカゲル又はエポキシ樹脂から作製可能であり、実施形態によっては、接着層をシリカゲル（単一成分シリカゲル又は二成分シリカゲル）で作製可能である。ただし、同じ機能を有する他の複数の接着層も採用可能である。
【００３４】
取付孔４３１は腰形状の孔として構成される。腰形状孔の両端は半アーチ状で、腰形状孔の中間両側部は互いに平行である。腰形状孔によって５ｍｍより大きい位置ずれが許容され、その結果、取付精度の要求を低減するために、太陽電池パネルと支持梁の取付けずれが吸収される。
【００３５】
実施形態によっては、接続部分４３の下面が支持部分４１の下面と同一面上にある。取付部材が支持梁上に取付けられるとき、接続部分４３の下面が支持梁に接する。
【００３６】
実施形態によっては、接続部分４３の下面のある第１平面が、支持部分４１の下面のある第２平面より高く位置し、第１平面と第２平面との間の距離は、接続部分４３の厚さに等しい。第１平面上と第２平面は平行であり、すなわち、第１平面上と第２平面との間の距離は２つの平面間の垂直距離を意味する。取付部材４が支持梁上に取付けられると、接続部分４３の下面のある第１平面との間に特定の取付隙間が形成され、この取付隙間が他の太陽電池アセンブリの接続部分を収容する構成となっている。
【００３７】
尚、接続部分及び支持部分により２つの異なる配置を、別々にも協働しても実行できる。
【００３８】
本開示について、これ以降は実施例を参照して更に説明する。
【実施例１】
【００３９】
本実施例は、支持梁及び太陽電池アセンブリを含む太陽電池モジュールを提供する。この太陽電池アセンブリは太陽電池パネル５及び取付部材４を含む。支持梁が太陽電池パネル５の裏側に配置され、太陽電池アセンブリが取付部材４を介して支持梁に固定される。
【００４０】
１つの太陽電池アセンブリがあり、複数の取付部材４が太陽電池パネル５の両側にそれぞれ配置され、太陽電池パネル５の下面が接着層を介して各取付部材４に固定され、太陽電池パネル５の一縁部が制限部分４２と当接し、ボルトが接続部分４３の孔をその頂部から貫通し、太陽電池アセンブリを支持梁上に固定するように、ボルトの尾端が支持梁に接続される。
【実施例２】
【００４１】
図２に示されているように、また図６を参照すると、本実施例は、太陽電池パネル５及び取付部材４を含む太陽電池アセンブリを提供する。太陽電池パネル５が取付部材４上に配置され、太陽電池パネル５の下面が接着層を介して各取付部材４に固定され、太陽電池パネル５の一縁部が制限部分４２と当接する。
【００４２】
取付部材４が第１取付部材４ａ及び第２取付部材４ｂを含み、第１取付部材４ａ及び第２取付部材４ｂが、太陽電池パネル５の両側にそれぞれ配置される。好ましくは、２つの第１取付部材４ａを太陽電池パネル５の片側に配置し、２つの第２取付部材４ｂを太陽電池パネル５のもう一方の側に配置する。
【００４３】
第１取付部材４ａは第１支持部分４１ａ及び第１接続部分４３ａを含み、第１接続部分４３ａには第１取付孔が形成されており、第１接続部分４３ａの下面が第１支持部分４１ａの下面と同一面上にある。
【００４４】
第２取付部材４ｂは第２支持部分４１ｂ及び第２接続部分４３ｂを含み、第２接続部分４３ｂには第２取付孔が形成されており、第２接続部分４３ｂの下面のある第１平面が、第２支持部分４１ｂの下面のある第２平面より高く位置し、第１平面と第２平面との間の距離は、接続部分４３の厚さに等しい。
【実施例３】
【００４５】
図６及び図８に示されているように、本実施例は、支持梁７及び実施例２の複数の太陽電池アセンブリを含む太陽電池モジュールを提供する。支持梁７が太陽電池パネル５の裏側に配置され、太陽電池アセンブリが取付部材４を介して支持梁７上に固定される。
【００４６】
複数の太陽電池アセンブリが支持梁７上に並んで配置され、複数の太陽電池アセンブリが、第１太陽電池アセンブリ及び第１太陽電池アセンブリに隣接する第２太陽電池アセンブリを含み、第１太陽電池アセンブリが第１取付部材４ａを含み、第２太陽電池アセンブリが第２取付部材４ｂを含む。第１太陽電池アセンブリ及び第１太陽電池アセンブリが、第１取付部材４ａ及び第２取付部材４ｂを介して互いに接続されて、支持梁７上に取付けられる。
【００４７】
第１接続部分４３ａと第２接続部分４３ｂが重なり合い、第１接続部分４３ａが第２接続部分４３ｂの底部の取付隙間に収容される。
【００４８】
固定するために、ボルト６が第２取付孔及び第１取付孔を順次通過する。さらに、ボルト６の尾端が支持梁７に接続される。
【実施例４】
【００４９】
図７に示されているように、本実施例では、支持梁がＵ字型鋼として構成されるが、本実施例における取付部材４及び太陽電池パネル５の構成は実施例２と同じであるため、詳細は省略する。
【００５０】
Ｕ字型鋼の開口部が、第１接続部分４３ａと第２接続部分４３ｂとが重なり合う位置に対向し、Ｕ字型鋼の２つの側壁がフックから内向きに折れ曲がってフックを形成しており、接続片８がＵ字型鋼の内部に配置され、接続片８には貫通ネジ孔が形成されている。
【００５１】
太陽電池パネル５を取付ける時、第１取付部材４ａ及び第２取付部材４ｂが、各太陽電池パネル５の両側にそれぞれ接着され、次に接続片８がＵ字型鋼内に配置され、２つの隣接する接続片８間の距離が、第１取付部材４ａと隣接する第２取付部材４ｂとの間の距離と等しくなるように調整され、その後に、接続片８がＵ字型鋼内で固定される。複数の太陽電池パネル５がＵ字型鋼上に並んで配置され、第１太陽電池パネル５の第１取付部材４ａと第１太陽電池パネル５に隣接する第２太陽電池パネル５の第２取付部材４ｂとが、接続され重ね合わされる。各接続片８の第１取付孔、第２取付孔及び貫通ネジ孔が、互いに位置合わせされる。第１取付部材４ａ及び第２取付部材４ｂをＵ字型鋼に締結するために、ボルト６が第１取付孔及び第２取付孔を上から貫通して、ボルト６の尾端が接続片８にねじ込まれ、太陽電池パネル５の取付けが完了する。  
【実施例５】
【００５２】
本実施例では、支持梁がＣ字型鋼として構成されるが、本実施例における取付部材４及び太陽電池パネル５の構成は実施例２と同じであるため、詳細は省略する。
【００５３】
Ｃ字型鋼の頂部には取付貫通孔がある。
【００５４】
太陽電池パネル５を取付ける時、第１取付部材４ａ及び第２取付部材４ｂが、各太陽電池パネル５の両側にそれぞれ接着され、次に複数の太陽電池パネル５がＣ字型鋼上に並んで配置され、第１太陽電池パネル５の第１取付部材４ａと第１太陽電池パネル５に隣接する第２太陽電池パネル５の第２取付部材４ｂとが、接続され重ね合わされる。第１取付孔、第２取付孔、及びＣ字型鋼の取付貫通孔が、互いに位置合わせされる。ボルトがＣ字型鋼の開口部から入り、取付貫通孔、第１取付孔及び第２取付孔を順次通過し、ボルトの尾端が第１取付部材４ａ及び第２取付部材４ｂの上方に配置される。さらに、第１取付部材４ａ及び第２取付部材４ｂをＣ字型鋼上に締結するために、ボルト６がナットによって締結され、太陽電池パネル５の取付けが完了する。
【００５５】
本開示の実施形態が図示及び記載されてきたが、当業者であれば、これらの実施形態の複数の変更、改良、置換及び変形が本開示の原理及び目的から逸脱することなく行われることが理解できる。
【図１】
2019503159.tif 000003
【図２】
2019503159.tif 000004
【図３】
2019503159.tif 000005
【図４】
2019503159.tif 000006
【図５】
2019503159.tif 000007
【図６】
2019503159.tif 000008
【図７】
2019503159.tif 000009
【図８】
2019503159.tif 000010
【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
太陽電池パネルと、
支持部分及び接続部分を有する取付部材であって、前記支持部分が前記太陽電池パネルを固定する構成であり、前記接続部分が前記取付部材を支持梁上に固定する構成である、取付部材と、
を備える太陽電池アセンブリにおいて、
前記支持部分が前記太陽電池パネルの裏側に配置され、前記接続部分が前記支持部分の一縁部から前記太陽電池パネルに平行な方向に沿って延び、前記接続部分が前記太陽電池パネルのカバー領域の外側に位置し、前記接続部分には取付孔が形成されている、
太陽電池アセンブリ。
【請求項２】
複数の取付部材が前記太陽電池パネルの両側にそれぞれ配置されている、請求項１に記載の太陽電池アセンブリ。
【請求項３】
前記支持部分がプラットフォーム面を有し、前記太陽電池パネルの裏側と結合する構成である接着層が、前記プラットフォーム面上に配置される、請求項１または２に記載の太陽電池アセンブリ。
【請求項４】
前記支持部分が、穴が中に形成された中空方形管として構成され、前記中空方形管の上面は前記プラットフォーム面として構成される、請求項３に記載の太陽電池アセンブリ。
【請求項５】
前記接続部分が平板として構成される、請求項１〜４のいずれか１項に記載の太陽電池アセンブリ。
【請求項６】
前記接続部分の下面が前記支持部分の下面と同一面上にある、請求項４又は５に記載の太陽電池アセンブリ。
【請求項７】
前記接続部分の下面のある第１平面が、前記支持部分の下面のある第２平面より高く位置し、前記第１平面と前記第２平面との間の距離が前記接続部分の厚さに等しい、請求項４又は５に記載の太陽電池アセンブリ。
【請求項８】
前記取付部材が、前記支持部分と前記接続部分との間に配置された制限部分をさらに備え、前記太陽電池パネルの１側部が前記制限部分と当接する、請求項１〜７のいずれか１項に記載の太陽電池アセンブリ。
【請求項９】
前記制限部分の支持部分から離れる側の一端には、折曲部分が形成されており、前記折曲部分が前記太陽電池パネルに対向し、前記折曲部分が前記支持部分の上面と平行である、請求項８に記載の太陽電池アセンブリ。
【請求項１０】
前記取付孔が腰形状孔として構成される、請求項１〜９のいずれか１項に記載の太陽電池アセンブリ。
【請求項１１】
支持梁及び請求項１〜１０のいずれか１項に記載の太陽電池アセンブリを備える太陽電池モジュールであって、前記支持梁が前記太陽電池アセンブリの裏側に位置し、前記太陽電池アセンブリが前記取付部材を介して前記支持梁に固定される、太陽電池モジュール。
【請求項１２】
前記支持梁上に並んで配置される複数の太陽電池アセンブリがあり、前記複数の太陽電池アセンブリが、第１太陽電池アセンブリ及び前記第１太陽電池アセンブリに隣接する第２太陽電池アセンブリを備え、前記第１太陽電池アセンブリが第１取付部材を備え、前記第２太陽電池アセンブリが第２取付部材を含み、
前記第１取付部材が第１支持部分及び第１接続部分を含み、前記第１接続部分には第１取付孔が形成されており、前記第１接続部分の下面が前記第１支持部分の下面と同一面上にあり、
前記第２取付部材が第２支持部分及び第２接続部分を含み、前記第２接続部分には第２取付孔が形成されており、前記第２接続部分の下面のある第１平面が、前記第２支持部分の下面のある第２平面より高く位置し、前記第１平面と前記第２平面との間の距離は、前記第１接続部分の厚さに等しく、
前記第１接続部分が前記第２接続部分の底部に位置して前記第２接続部分と重なり合い、前記第１取付孔と前記第２取付孔とが重なり合い、ボルトが前記第２取付孔と前記第１取付孔とを順次貫通して前記支持梁に接続される、
請求項１１に記載の太陽電池モジュール。
【国際調査報告】
2019503159.tif 000011
2019503159.tif 000012